(57)【要約】【課題】ユーザが別のモード転換のための任意的な操作なしに自然にモードが転換され、転換に対するフィードバックを提供することによってユーザの利便性を向上させる入力装置、ディスプレイ装置、その制御方法及びディスプレイシステムを提供する。【解決手段】ディスプレイ装置の入力装置は、ディスプレイ装置と通信する通信部と；ユーザのタッチ入力を受信するタッチ感知部と；入力装置のモーションを感知するモーション感知部と；入力装置の入力モードが入力装置のモーションによるジェスチャーモードで動作する場合に第１基準値以上であるユーザのタッチ入力が感知されれば、入力モードをタッチモードに転換する制御部と；を含む。【選択図】図２
2013143139.tif 000002
【特許請求の範囲】
【請求項１】
ディスプレイ装置の入力装置において、
前記ディスプレイ装置と通信する通信部と；
ユーザのタッチ入力を受信するタッチ感知部と；
前記入力装置のモーションを感知するモーション感知部と；
前記入力装置の入力モードが前記入力装置のモーションによるジェスチャーモードで動作する場合に第１基準値以上であるユーザのタッチ入力が感知されれば、前記入力モードをタッチモードに転換する制御部と；
を含むことを特徴とする入力装置。
【請求項２】
前記制御部は、前記入力装置の入力モードが前記タッチモードで動作する場合、第２基準値以上である入力装置のモーションが感知されれば前記入力モードを前記ジェスチャーモードに転換することを特徴とする請求項１に記載の入力装置。
【請求項３】
前記制御部は、前記入力モードの転換に対するユーザインターフェースを表示するコマンドを前記ディスプレイ装置に送信するように前記通信部を制御することを特徴とする請求項２に記載の入力装置。
【請求項４】
前記制御部は、前記ジェスチャーモードでは前記第１基準値未満に対応する前記ユーザのタッチ入力は無視し、前記タッチモードでは前記第２基準値未満に対応する前記入力装置のモーションは無視することを特徴とする請求項２に記載の入力装置。
【請求項５】
前記第１基準値は、前記タッチ感知部に対する所定の距離以上のドラッグ、所定の強度以上のタッチ及び所定の回数以上のタッチの中で少なくとも一つに対応する値であり、
前記第２基準値は、前記モーション感知部によって感知される所定の距離以上のモーション、所定の強度以上のモーション及び所定の回数以上のモーションの中で少なくとも一つに対応する値であることを特徴とする請求項２乃至請求項４の中でいずれか一項に記載の入力装置。
【請求項６】
ディスプレイ装置において、
映像を表示するディスプレイ部と；
前記ディスプレイ装置の入力装置と通信する通信部と；
前記通信部を通じて前記入力装置から入力モードをジェスチャーモードからタッチモードに転換するコマンドを受信すれば、前記タッチモードへの転換に対するユーザインターフェースを表示するように前記ディスプレイ部を制御する制御部；
を含むことを特徴とするディスプレイ装置。
【請求項７】
前記制御部は、前記入力装置から入力モードを前記タッチモードから前記ジェスチャーモードに転換するコマンドを受信すれば、前記ジェスチャーモードへの転換に対するユーザインターフェースを表示するように前記ディスプレイ部を制御することを特徴とする請求項６に記載のディスプレイ装置。
【請求項８】
前記ユーザインターフェースは、前記入力モードの転換過程を段階的に表示することを特徴とする請求項７に記載のディスプレイ装置。
【請求項９】
ディスプレイ装置の入力装置の制御方法において、
前記入力装置の入力モードが前記入力装置のモーションによるジェスチャーモードで動作する段階と；
ユーザのタッチ入力を感知する段階と；
前記感知されたタッチ入力が第１基準値以上ならば、前記入力モードをタッチモードに転換する段階と；
を含むことを特徴とする入力装置の制御方法。
【請求項１０】
前記入力装置のモーションを感知する段階と；
前記感知されたモーションが第２基準値以上ならば、前記入力モードを前記ジェスチャーモードに転換する段階をさらに含むことを特徴とする請求項９に記載の入力装置の制御方法。
【請求項１１】
前記入力モードの転換に対するユーザインターフェースを表示するコマンドを前記ディスプレイ装置に送信する段階をさらに含むことを特徴とする請求項１０に記載の入力装置の制御方法。
【請求項１２】
前記入力装置が前記タッチモードに転換されれば、前記第２基準値未満に対応する前記入力装置のモーションを無視する段階と；
前記入力装置が前記ジェスチャーモードに転換されれば、前記第１基準値未満に対応する前記ユーザのタッチ入力を無視する段階をさらに含むことを特徴とする請求項１０に記載の入力装置の制御方法。
【請求項１３】
ディスプレイ装置の制御方法において、
入力装置から入力モードをジェスチャーモードからタッチモードに転換するコマンドを受信する段階と；
前記受信されたコマンドに基づいて前記入力モードを前記タッチモードに転換するユーザインターフェースを表示する段階と；
を含むことを特徴とするディスプレイ装置の制御方法。
【請求項１４】
前記入力装置から前記入力モードを前記タッチモードから前記ジェスチャーモードに転換するコマンドを受信する段階と；
前記受信されたコマンドに基づいて前記入力モードを前記ジェスチャーモードに転換するユーザインターフェースを表示する段階と；
をさらに含むことを特徴とする請求項１３に記載のディスプレイ装置の制御方法。
【請求項１５】
前記入力モードの転換過程を段階的に表示する段階をさらに含むことを特徴とする請求項１４に記載のディスプレイ装置の制御方法。
【発明の詳細な説明】
【技術分野】
【０００１】
本発明は、入力装置、ディスプレイ装置、その制御方法及びディスプレイシステムに係り、さらに詳しくは、入力装置の入力モードを表示する入力装置、ディスプレイ装置、その制御方法及びディスプレイシステムに関する。
【背景技術】
【０００２】
一般的に、ディスプレイシステムは、外部から受信したり又は自身が生成する映像信号に基づく映像を表示するシステムとして、映像が表示されるディスプレイパネルを備えるディスプレイ装置を中心として各機能別に分類された複数の装置が備わることによって形成される。ディスプレイシステムは、具現しようとする機能に従って多様な種類の装置を組み合わせることができる。例えば、ディスプレイシステムは、ディスプレイ装置と、ディスプレイ装置に各種のコマンドを送信する入力装置と、を含むことができる。一般的に、このような入力装置は、ディスプレイ装置のリモートコントローラーで具現される。
【０００３】
入力装置にはユーザのタッチ入力を感知するタッチ感知部と、入力装置のモーションを感知するモーション感知部と、を設けることができる。このような入力装置は、ユーザのタッチ入力に従って動作するタッチモードと、入力装置のモーションに従って動作するジェスチャーモードと、の中でいずれか一つの入力モードで動作し、リモートコントローラーに備わったモード転換ボタンを使用して二つのモードを互いに転換する。
【０００４】
しかし、リモートコントローラーの動作中のモード転換のためには、ユーザが指定されたモード転換ボタンを操作しなければならないので、操作中であるインタラクション（ｉｎｔｅｒａｃｔｉｏｎ）を断絶させてインターフェース操作に対するユーザの夢中度を落として、ユーザの不便を招くことがある。
【０００５】
また、このようなモード転換に対する情報をユーザに提供しなければ、ユーザは入力装置の入力モードが分かり難いので、ユーザの入力装置の使用に不便を招くことがある。
【発明の概要】
【発明が解決しようとする課題】
【０００６】
従って、本発明の目的は、ユーザが別のモード転換のための任意的な操作なしに自然にモードが転換され、転換に対するフィードバックを提供することによってユーザの利便性を向上させることを目的とする。
【課題を解決するための手段】
【０００７】
本発明の一実施形態によるディスプレイ装置の入力装置は、ディスプレイ装置と通信する通信部と；ユーザのタッチ入力を受信するタッチ感知部と；入力装置のモーションを感知するモーション感知部と；入力装置の入力モードが入力装置のモーションによるジェスチャーモードで動作する場合に第１基準値以上であるユーザのタッチ入力が感知されれば、入力モードをタッチモードに転換する制御部と；を含む。
【０００８】
制御部は、入力装置の入力モードがタッチモードで動作する場合、第２基準値以上である入力装置のモーションが感知されれば、入力モードをジェスチャーモードに転換することができる。
【０００９】
制御部は、入力モードの転換に対するユーザインターフェースを表示するコマンドをディスプレイ装置に送信するように通信部を制御することができる。
【００１０】
ユーザインターフェースは、入力モードの転換過程をディスプレイ装置に段階的に表示することができる。
【００１１】
ユーザインターフェースは、入力モードの転換に従って透明度が段階的に調節されることができる。
【００１２】
制御部は、入力モードの転換が完了されれば、ユーザインターフェースを不透明に表示するコマンドを送信するように通信部を制御することができる。
【００１３】
ユーザインターフェースは、入力モードの転換を段階的に表示するゲージを含むことができる。
【００１４】
制御部は、ジェスチャーモードでは第１基準値未満に対応するユーザのタッチ入力は無視し、タッチモードでは第２基準値未満に対応する入力装置のモーションは無視することができる。
【００１５】
第１基準値は、タッチ感知部に対する所定の距離以上のドラッグ、所定の強度以上のタッチ及び所定の回数以上のタッチの中で少なくとも一つに対応する値であり、第２基準値は、モーション感知部によって感知される所定の距離以上のモーション、所定の強度以上のモーション及び所定の回数以上のモーションの中で少なくとも一つに対応する値でありうる。
【００１６】
一方、本発明の他の実施形態によるディスプレイ装置の入力装置は、ディスプレイ装置と通信する通信部と；ユーザのタッチ入力を受信するタッチ感知部と；入力装置のモーションを感知するモーション感知部と；入力装置の入力モードがユーザのタッチ入力によるタッチモードで動作する場合、第２基準値以上である入力装置のモーションが感知されれば、入力モードをジェスチャーモードに転換する制御部と；を含む。
【００１７】
制御部は、モーション感知部によって感知される入力装置のモーションの強度、回数及び距離の中で少なくとも一つに従って入力装置の入力モードの転換過程を段階的に示すユーザインターフェースを表示するコマンドをディスプレイ装置に送信するように通信部を制御することができる。
【００１８】
ユーザインターフェースは、入力モードの転換の完了のため必要なモーションの距離、強度及び回数の中で少なくとも一つに対する情報をさらに含むことができる。
【００１９】
一方、本発明の一実施形態によるディスプレイ装置は、映像を表示するディスプレイ部と；ディスプレイ装置の入力装置と通信する通信部と；通信部を通じて入力装置から入力モードをジェスチャーモードからタッチモードに転換するコマンドを受信すれば、タッチモードへの転換に対するユーザインターフェースを表示するようにディスプレイ部を制御する制御部と；を含む。
【００２０】
制御部は、入力装置から入力モードをタッチモードからジェスチャーモードに転換するコマンドを受信すれば、ジェスチャーモードへの転換に対するユーザインターフェースを表示するようにディスプレイ部を制御することができる。
【００２１】
ユーザインターフェースは、入力モードの転換過程を段階的に表示することができる。
【００２２】
ユーザインターフェースは、入力モードの転換に従って透明度が段階的に調節されることができる。
【００２３】
制御部は、入力モードの転換が完了されれば、ユーザインターフェースを不透明に表示するようにディスプレイ部を制御することができる。
【００２４】
ユーザインターフェースは、入力モードの転換を段階的に表示するゲージを含むことができる。
【００２５】
一方、本発明の他の実施形態によるディスプレイ装置は、映像を表示するディスプレイ部と；ディスプレイ装置の入力装置と通信する通信部と；通信部を通じて入力装置から入力モードをタッチモードからジェスチャーモードに転換するコマンドを受信すれば、ジェスチャーモードへの転換に対するユーザインターフェースを表示するようにディスプレイ部を制御する制御部；を含む。
【００２６】
ユーザインターフェースは、入力モードがジェスチャーモードに転換されることを段階的に表示することができる。
【００２７】
ユーザインターフェースは、入力モードの転換の完了のため必要なモーションの距離、強度及び回数の中で少なくとも一つに対する情報をさらに含むことができる。
【００２８】
一方、本発明の一実施形態によるディスプレイ装置の入力装置の制御方法は、入力装置の入力モードが入力装置のモーションによるジェスチャーモードで動作する段階と；ユーザのタッチ入力を感知する段階と；感知されたタッチ入力が第１基準値以上ならば、入力モードをタッチモードに転換する段階と；を含む。
【００２９】
入力装置のモーションを感知する段階と；感知されたモーションが第２基準値以上ならば、入力モードをジェスチャーモードに転換する段階をさらに含むことができる。
【００３０】
入力モードの転換に対するユーザインターフェースを表示するコマンドをディスプレイ装置に送信する段階をさらに含むことができる。
【００３１】
ユーザインターフェースは、入力モードの転換過程をディスプレイ装置に段階的に表示することができる。
【００３２】
ユーザインターフェースは、入力モードの転換に従って透明度が段階的に調節されることができる。
【００３３】
入力モードの転換が完了すれば、ユーザインターフェースを不透明に表示するコマンドを送信する段階をさらに含むことができる。
【００３４】
ユーザインターフェースは、入力モードの転換を段階的に表示するゲージを含むことができる。
【００３５】
入力装置がタッチモードに転換されれば、第２基準値未満に対応する入力装置のモーションを無視する段階をさらに含むことができる。
【００３６】
入力装置がジェスチャーモードに転換されれば、第１基準値未満に対応するユーザのタッチ入力を無視する段階をさらに含むことができる。
【００３７】
第１基準値は、タッチ感知部に対する所定の距離以上のドラッグ、所定の強度以上のタッチ及び所定の回数以上のタッチの中で少なくとも一つに対応する値であり、第２基準値は、モーション感知部によって感知される所定の距離以上のモーション、所定の強度以上のモーション及び所定の回数以上のモーションの中で少なくとも一つに対応する値でありうる。
【００３８】
一方、本発明の他の実施形態によるディスプレイ装置の入力装置の制御方法は、入力装置の入力モードがユーザのタッチ入力によるタッチモードで動作する段階と；入力装置のモーションを感知する段階と；感知されたモーションが第２基準値以上ならば、入力モードをジェスチャーモードに転換する段階と；を含む。
【００３９】
入力装置の入力モード転換に対するユーザインターフェースを段階的に表示するコマンドをディスプレイ装置に送信する段階をさらに含むことができる。
【００４０】
コマンドを送信する段階は、入力モードの転換の完了のため必要なモーションの距離、強度及び回数の中で少なくとも一つに対する情報を表示するコマンドをディスプレイ装置に送信する段階を含むことができる。
【００４１】
一方、本発明の一実施形態によるディスプレイ装置の制御方法は、入力装置から入力モードをジェスチャーモードからタッチモードに転換するコマンドを受信する段階と；受信されたコマンドに基づいて入力モードをタッチモードに転換するユーザインターフェースを表示する段階と；を含む。
【００４２】
入力装置から入力モードをタッチモードからジェスチャーモードに転換するコマンドを受信する段階と；受信されたコマンドに基づいて入力モードをジェスチャーモードに転換するユーザインターフェースを表示する段階と；をさらに含むことができる。
【００４３】
入力モードの転換過程を段階的に表示する段階をさらに含むことができる。
【００４４】
段階的に表示する段階は、入力モードの転換に従ってユーザインターフェースの透明度を段階的に調節することができる。
【００４５】
入力モードの転換が完了すれば、ユーザインターフェースを不透明に表示する段階をさらに含むことができる。
【００４６】
段階的に表示する段階は、入力モードの転換をゲージを通じて段階的に表示することができる。
【００４７】
一方、本発明の他の実施形態によるディスプレイ装置の制御方法は、入力装置から入力モードをタッチモードからジェスチャーモードに転換するコマンドを受信する段階と；受信されたコマンドに基づいて入力モードをジェスチャーモードに転換するユーザインターフェースを表示する段階と；を含む。
【００４８】
ユーザインターフェースを表示する段階は、入力モードがジェスチャーモードに転換されることを段階的に表示することができる。
【００４９】
ユーザインターフェースを表示する段階は、入力モードの転換の完了のため必要な入力装置のモーションの距離、強度及び回数の中で少なくとも一つに対する情報を表示する段階を含むことができる。
【００５０】
一方、本発明の一実施形態によるディスプレイシステムは、入力装置と通信しながら、入力装置から受信されるコマンドによるユーザインターフェースを表示するディスプレイ装置と；ディスプレイ装置と通信しながら、ユーザのタッチ入力を受信するタッチ感知部及び入力装置のモーションを感知するモーション感知部を含み、入力装置の入力モードがジェスチャーモードで動作する場合に第１基準値以上であるユーザのタッチ入力が感知されれば入力モードをタッチモードに転換し、入力モードがタッチモードで動作する場合に第２基準値以上である入力装置のモーションが感知されれば入力モードをジェスチャーモードに転換し、入力モードの転換に対するユーザインターフェースを表示するコマンドをディスプレイ装置に送信する入力装置と；を含む。
【００５１】
ユーザインターフェースは、入力モードが転換されることを段階的に表示することができる。
【発明の効果】
【００５２】
このように、本発明によれば、基準値以上のタッチ又はモーションによって入力モードが互いに転換されるので、操作中であるインタラクション（ｉｎｔｅｒａｃｔｉｏｎ）を断絶させることなく、ユーザからの別途のモード転換のための人為的な操作なしに自然にモードが転換されるようにして、ユーザの利便性を向上させることができる。
【００５３】
また、本発明によれば、入力装置で入力モードの転換情報を段階的に提供するユーザインターフェースを表示し、ユーザに入力モードの転換に対してリアルタイムで適切な視覚的なフィードバックを提供して、ユーザの混乱を減らし利便性を向上させることができる。
【図面の簡単な説明】
【００５４】
【図１】本発明の実施形態によるディスプレイシステムの例示図である。
【図２】本発明の実施形態によるディスプレイシステムの構成を示すブロック図である。
【図３】本発明の第１実施形態のディスプレイ装置でディスプレイ部に表示される画面を示す図である。
【図４】本発明の第１実施形態のディスプレイ装置でディスプレイ部に表示される画面を示す図である。
【図５】本発明の第１実施形態のディスプレイ装置でディスプレイ部に表示される画面を示す図である。
【図６】本発明の第１実施形態によるディスプレイシステムの制御方法を示すフローチャートである。
【図７】本発明の第１実施形態によるディスプレイシステムの制御方法を示すフローチャートである。
【図８】本発明の第２実施形態のディスプレイ装置でディスプレイ部に表示される画面を示す図である。
【図９】本発明の第２実施形態のディスプレイ装置でディスプレイ部に表示される画面を示す図である。
【図１０】本発明の第２実施形態のディスプレイ装置でディスプレイ部に表示される画面を示す図である。
【図１１】本発明の第２実施形態のディスプレイ装置でディスプレイ部に表示される画面を示す図である。
【図１２】本発明の第２実施形態のディスプレイ装置でディスプレイ部に表示される画面を示す図である。
【図１３】本発明の第２実施形態によるディスプレイシステムの制御方法を示すフローチャートである。
【発明を実施するための形態】
【００５５】
以下、添付図面を参照して本発明の望ましい実施形態に対して詳細に説明する。
【００５６】
図１は、本発明の実施形態によるディスプレイシステム１の例示図である。
【００５７】
図１に示すように、本実施形態によるディスプレイシステム１は、映像信号を既に設定されたプロセスに従って処理して、映像で表示するディスプレイ装置１００と、ディスプレイ装置１００を遠隔で制御可能に既に設定されたコマンド（ｃｏｍｍａｎｄ）／データ／情報／信号を生成してディスプレイ装置１００に送信する入力装置２００と、を含む。
【００５８】
本実施形態は、ディスプレイ装置１００が放送局の送出設備から受信される放送信号／放送情報／放送データに基づく放送映像を表示するＴＶとして、入力装置２００がリモートコントローラー（ｒｅｍｏｔｅ  ｃｏｎｔｒｏｌｌｅｒ）で各々具現されたディスプレイシステム１に関する。しかし、ディスプレイ装置１００は、表示可能な映像の種類が放送映像に限られず、例えば、ディスプレイ装置１００は、多様な形式の映像供給源（図示せず）から受信される信号／データに基づく動画、停止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのユーザインターフェース（ＵＩ：ｕｓｅｒ  ｉｎｔｅｒｆａｃｅ）、ＧＵＩ（ｇｒａｐｈｉｃａｌ  ｕｓｅｒ  ｉｎｔｅｒｆａｃｅ）等の映像を表示することができる。
【００５９】
本発明の思想は、本実施形態と異なるディスプレイシステム１、例えば、ディスプレイ装置１００がコンピュータ本体に接続されたモニターであり、入力装置２００が該当コンピュータ本体と通信するシステムである場合にも適用されることができる。即ち、以下説明する実施形態は、システムの具現方式に従って多様に変更適用される一つの例示に過ぎず、本発明の思想を限定する事項ではないことを明らかにする。
【００６０】
入力装置２００は、ディスプレイ装置１００と無線通信が可能な外部装置であり、無線通信は赤外線通信、ＲＦ通信等を含む。入力装置２００は、ユーザによって操作されることによって既に設定されたコマンドをディスプレイ装置１００に送信する。
【００６１】
本実施形態による入力装置２００は、ユーザのタッチ入力を受信するタッチ感知部２１０と、ユーザによる自体モーションを感知するモーション感知部２２０と、を含む。モーション感知部２２０は、ジャイロセンサー、角速度センサー、地磁気センサーを含む。従って、ディスプレイ装置１００は、入力装置２００から受信されるタッチ情報又はモーション情報に従ってディスプレイ部１３０に表示された映像が制御されることができる。
【００６２】
以下、本実施形態によるディスプレイ装置１００及び入力装置２００の構成に対して図２を参照しながら詳しく説明する。図２は、本発明の一実施形態によるディスプレイシステム１の構成を示すブロック図である。
【００６３】
図２に示すように、ディスプレイ装置１００は、映像信号を受信する映像受信部１１０と、映像受信部１１０に受信される映像信号を処理する映像処理部１２０と、映像処理部１２０によって処理される映像信号を映像で表示するディスプレイ部１３０と、外部と通信する第１通信部１４０と、データが保存される第１保存部１５０と、ディスプレイ装置１００を制御する第１制御部１６０と、を含む。
【００６４】
一方、入力装置２００は、ユーザのタッチ入力を受信するタッチ感知部２１０と、入力装置２００のモーション（動き）を感知するモーション感知部２２０と、外部と通信する第２通信部２４０と；データが保存される第２保存部２４０と、タッチ感知部２１０又はモーション感知部２２０の感知結果に基づいて対応するコマンドをディスプレイ装置１００に送信するように第２通信部２４０を制御する第２制御部２６０と；を含む。また、入力装置２００は、各種のメニューキー、番号キー等のユーザ操作が可能なボタンをさらに含むことができる。
【００６５】
以下、ディスプレイ装置１００の具体的な構成について説明する。
【００６６】
映像受信部１１０は映像信号を受信して映像処理部１２０に伝達し、受信する映像信号の規格及びディスプレイ装置１００の具現形態に対応して多様な方式で具現されることができる。例えば、映像受信部１１０は、放送局（図示せず）から送出されるＲＦ（ｒａｄｉｏ  ｆｒｅｑｕｅｎｃｙ）信号を無線で受信したり、コンポジット（ｃｏｍｐｏｓｉｔｅ）ビデオ、コンポーネント（ｃｏｍｐｏｎｅｎｔ）ビデオ、スーパービデオ（ｓｕｐｅｒ  ｖｉｄｅｏ）、ＳＣＡＲＴ、ＨＤＭＩ（ｈｉｇｈ  ｄｅｆｉｎｉｔｉｏｎ  ｍｕｌｔｉｍｅｄｉａ  ｉｎｔｅｒｆａｃｅ）規格等による映像信号を有線で受信することができる。映像受信部１１０は、映像信号が放送信号である場合、この放送信号をチャンネル別にチューニングするチューナー（ｔｕｎｅｒ）を含む。
【００６７】
また、映像信号は、外部機器から入力されることができるし、例えば、映像信号は、ＰＣ、ＡＶ機器、スマートフォン、スマートパッド等のような外部機器から入力されることができる。また、映像信号は、インターネット等のようなネットワークを通じて受信されるデータに起因してもよい。この場合、ディスプレイ装置１００は、第１通信部１４０を通じてネットワーク通信を遂行したり、別途のネットワーク通信部をさらに含むことができる。また、映像信号は、フラッシュメモリー、ハードディスク等のような不揮発性の第１保存部１５０に保存されたデータに起因してもよい。第１保存部１５０は、ディスプレイ装置１００の内部又は外部に設けられることができるし、外部に設けられる場合に第１保存部１５０が連結される連結部（図示せず）をさらに含むことができる。
【００６８】
映像処理部１２０は、映像信号に対して既に設定された多様な映像処理プロセスを行う。映像処理部１２０は、このようなプロセスを行った映像信号をディスプレイ部１３０に出力することによって、ディスプレイ部１３０に映像が表示されることになる。映像処理部１２０が行う映像処理プロセスの種類は限られず、例えば、多様な映像フォーマットに対応するデコーディング（ｄｅｃｏｄｉｎｇ）、ディ−インタレーシング（ｄｅ−ｉｎｔｅｒｌａｃｉｎｇ）、フレームリフレッシュレート（ｆｒａｍｅ  ｒｅｆｒｅｓｈ  ｒａｔｅ）変換、スケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、ラインスキャニング（ｌｉｎｅ  ｓｃａｎｎｉｎｇ）等を含むことができる。映像処理部１２０は、このような各プロセスを独自に行うことができる個別の構成のグループで具現されたり、又は色々な機能を統合させたＳｏＣ（Ｓｙｓｔｅｍ−ｏｎ−Ｃｈｉｐ）で具現されることができる。
【００６９】
ディスプレイ部１３０は、映像処理部１２０によって処理される映像信号に基づいて映像を表示する。ディスプレイ部１３０の具現方式は限られず、例えば、 液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、表面伝導型電子放出素子（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。ディスプレイ部１３０は、その具現方式に従って付加的な構成を追加的に含むことができる。例えば、ディスプレイ部１３０が液晶方式である場合、ディスプレイ部１３０は液晶ディスプレイパネル（図示せず）と、これに光を供給するバックライトユニット（図示せず）と、パネル（図示せず）を駆動させるパネル駆動基板（図示せず）と、を含む。
【００７０】
本実施形態のディスプレイ部１３０は、入力装置２００の入力モードを示すユーザインターフェース（ＵＩ）を表示する。ここで、ユーザインターフェースは、テキスト、アイコン（グラフィック）等を含み、テキストは数字と文字を含む。ここで、ディスプレイ部１３０がタッチスクリーン（ｔｏｕｃｈ−ｓｃｒｅｅｎ）である場合、ユーザがディスプレイ部１３０のＵＩをタッチして受信されるユーザ入力に対応するコマンドを第１制御部１６０に伝達することもできる。
【００７１】
第１通信部１４０は、入力装置２００から受信されるコマンド／データ／情報／信号を映像処理部１２０に伝達する。また、第１通信部１４０は、映像処理部１２０から伝達されたコマンド／データ／情報／信号を入力装置２００に送信することもできる。第１通信部１４０は、ディスプレイ装置１００及び入力装置２００との通信方式で無線通信を使用することができる。無線通信は、赤外線通信、ＲＦ（ｒａｄｉｏ  ｆｒｅｑｕｅｎｃｙ）、ジグビー（Ｚｉｇｂｅｅ（登録商標））、ブルートゥース等を含む。
【００７２】
第１通信部１４０は、本実施形態によれば、ディスプレイ装置１００に内蔵されるが、ドングル（ｄｏｎｇｌｅ）又はモジュール（ｍｏｄｕｌｅ）形態で具現されて映像処理部１２０に接続されたディスプレイ装置１００のコネクター（図示せず）に着脱されることもできる。
【００７３】
第１保存部１５０は第１制御部１６０の制御に従って限定されないデータが保存される。第１保存部１５０は、フラッシュメモリー（ｆｌａｓｈ−ｍｅｍｏｒｙ）、ハードディスク ドライブ（ｈａｒｄ−ｄｉｓｃ  ｄｒｉｖｅ）のような不揮発性保存媒体で具現される。第１保存部１５０は、第１制御部１６０によってアクセスされ、第１制御部１６０によるデータの読取／記録／修正／削除／更新等が行われる。
【００７４】
第１保存部１５０に保存されるデータは、例えば、ディスプレイ装置１００の駆動のためのオペレーティングシステムを始めとして、このオペレーティングシステム上で実行可能な多様なアプリケーション、映像データ、付加データ等を含む。
【００７５】
第１制御部１６０は、ディスプレイ装置１００の多様な構成に対する制御動作を行う。例えば、第１制御部１６０は、映像処理部１２０が処理する映像処理プロセスの進行、入力装置１１０からのコマンドに対する対応制御動作を行うことによって、ディスプレイ装置１００の全体動作を制御する。
【００７６】
本実施形態の第１制御部１６０は、入力装置２００から受信されたコマンドに基づいて、入力装置２００の入力モード（例えば、タッチモード又はジェスチャーモード）を示すユーザインターフェース（ＵＩ）（図３乃至図５の３１、３２、３５、３６及び図８乃至図１２の６１、６２、６３）を表示するようにディスプレイ部１３０を制御する。
【００７７】
以下、入力装置２００の具体的な構成に対して説明する。
【００７８】
本実施形態の入力装置２００は、複数の入力モードの中でいずれか一つで動作し、複数の入力モードはタッチ感知センサーに対するユーザのタッチ入力に従って動作するタッチモード（ｔｏｕｃｈ  ｍｏｄｅ）と、入力装置のモーション（ｍｏｔｉｏｎ）（動き）に従って動作するジェスチャーモード（ｇｅｓｔｕｒｅ  ｍｏｄｅ）と、を含む。
【００７９】
例えば、入力装置２００は、ジェスチャーモードで入力装置２００のモーションによってディスプレイ装置１００に表示された画面に対するページスクロール（Ｐａｇｅ  Ｓｃｒｏｌｌ）を遂行するようにし、タッチモードでユーザのタッチ入力によってディスプレイ装置１００に表示された画面の項目に対する選択（フォーカス移動）を行うことができる。
【００８０】
本発明実施形態では、入力装置２００がページスクロールのような大きい単位の動作に対してはジェスチャーモードで、項目の選択のような小さい単位の動作に対してはタッチモードで動作するように設定される実施形態に対して説明する。しかし、本発明の思想は、これに限られず、その他にも多様なユーザ入力による例示が適用されることができる。
【００８１】
タッチ感知部２１０は、ユーザのタッチ入力を受信するタッチ感知センサーを含む。ユーザのタッチ入力は多様で、タップ（ｔａｐ）、タップより強くタッチするクリック（ｃｌｉｃｋ）、ダブルクリック、ドラッグ（ｄｒａｇ）、スライド（ｓｌｉｄｅ）、フリッキング（ｆｌｉｃｋｉｎｇ）等を全部含む。タッチ感知部２１０がユーザのタッチ入力を感知すれば、第２制御部２６０は感知されたタッチ入力に対応するコマンドを生成して、第２通信部２４０を通じてディスプレイ装置１００に送信する。
【００８２】
モーション感知部２２０は、入力装置２００のモーションを感知するモーション感知センサーを含み、モーション感知センサーはジャイロセンサー、角速度センサー、地磁気センサーを含む。モーション感知部２２０は、入力装置２００の現在の姿勢で、入力装置２００の３軸又は６軸に対する加速度及び角速度を測定してその結果を第２制御部２６０に伝達する。第２制御部２５０は、入力装置２００のモーション情報に対応するコマンドを生成して第２通信部２４０を通じてディスプレイ装置１００に送信する。
【００８３】
第２通信部２４０は、ディスプレイ装置１００と通信しながら、第１通信部１４０に対応する通信規格を有する。例えば、第２通信部２２０は無線通信を使用して所定のコマンドを送受信し、無線通信は赤外線通信、ＲＦ（ｒａｄｉｏ  ｆｒｅｑｕｅｎｃｙ）、ジグビー（Ｚｉｇｂｅｅ（登録商標））、ブルートゥース等を含む。
【００８４】
従って、ディスプレイ装置１００が該当コマンドに対応する制御動作を行うことができる。
【００８５】
第２保存部２５０には第２制御部２６０によってアクセスされるためのデータが保存される。また、第２保存部２５０には入力装置２００の現在入力モードに関する情報が読取、保存及びアップデートされ、入力装置１００のモーション感知のための姿勢の情報が読取、保存及びアップデートされる。
【００８６】
第２制御部２５０は、モーション感知部２２０よって感知された入力装置２００の角速度及び加速度に基づいて入力装置２００のモーション情報を算出する。第２制御部２６０は、算出されたモーション情報を第２保存部２５０に保存された姿勢情報と比較及び補正し、その結果を所定のコマンドとして第２通信部２２０を通じてディスプレイ装置１００に送信する。
【００８７】
第２保存部２５０は、フラッシュメモリー（ｆｌａｓｈ−ｍｅｍｏｒｙ）のような不揮発性保存媒体で具現される。第２保存部２５０は、第２制御部２６０によってアクセスされ、第２制御部２６０によるデータの読取／記録／修正／削除／更新等が行われる。
【００８８】
第２制御部２６０は、タッチ感知部２１０に対するユーザのタッチ入力及びモーション感知部２２０で感知される入力装置２００のモーションの中でいずれか一つに従って入力装置２００の入力モードを転換し、これに対応するコマンドをディスプレイ装置１００に送信するように第２通信部２４０を制御する。
【００８９】
図３乃至図５は、本発明の第１実施形態によってディスプレイ装置１００のディスプレイ部１３０に表示される画面を示す図である。ここで、表示されるＵＩ（３１、３２、３５、３６）は、入力装置２００の現在の入力モード情報、入力モードの転換情報（例えば、タッチモードからジェスチャーモードへの転換又はジェスチャーモードからタッチモードへの転換）を含むことができる。
【００９０】
本発明第１実施形態によれば、第２保存部２５０にはユーザのタッチ入力に対する第１基準値及び入力装置２００のモーションに対する第２基準値が保存される。ここで、第１基準値は、タッチ感知部２１０に対する所定の距離以上のドラッグ、所定の強度以上のタッチ及び所定の回数以上のタッチの中で少なくとも一つに対応する値であり、第２基準値は、モーション感知部２２０によって感知される所定の距離以上のモーション、所定の強度以上のモーション及び所定の回数以上のモーションに対応する値になる。ここで、強度は、モーションによる入力装置２００の移動距離、移動速度、移動領域の面積の中でいずれか一つ又はその組合せによって決定されることができる。
【００９１】
本実施形態は、第１基準値と第２基準値が同じ値で設定されたり、各々異なる値で設定される場合を全部含む。
【００９２】
第２制御部２６０は、タッチ感知部２１０によって感知されるユーザのタッチ入力の中で第１基準値以上に対応するコマンド及びモーション感知部２２０によって感知される入力装置２００のモーションの中で第２基準値以上であるコマンドの中でいずれか一つをディスプレイ装置１００に送信するように第２通信部２４０を制御する。
【００９３】
ここで、送信されるコマンドは、入力装置２００が複数の入力モードの中でいずれか一つであることを示すＵＩを表示するコマンドを含むことができる。例えば、図３に示すように、入力装置２００がジェスチャーモードで動作する状態で、モーション感知部２２０が第１基準値以上の入力装置２００のモーションを感知すれば、第２制御部２６０は感知されたモーションに対応するコマンド（例えば、ページ スクロール コマンド）と共に入力装置２００の入力モードがジェスチャーモードであることを示すＵＩ即ち、メッセージ３１、３２をディスプレイ部１３０に表示するコマンドを送信するように第２通信部２５０を制御することができる。ここで、表示されるメッセージ３１、３２は、アイコン、テキスト等を含む。
【００９４】
ディスプレイ装置１００の第１制御部１６０は、第１通信部１４０を入力装置２００からコマンドを受信し、入力装置２００から受信されたコマンドに従って、図４に示すように、ページスクロールされた画面を表示するようにディスプレイ部１３０を制御する。また、第１制御部１６０は、図４に示すように、入力装置２００の現在入力モードを示すアイコン、テキスト等のメッセージ３１、３２を表示するようにディスプレイ部１３０を制御する。
【００９５】
一方、入力装置２００からディスプレイ装置１００に送信されるコマンドは、入力装置２００が複数の入力モードの中でいずれか一つで動作する状態で他の一つに転換するコマンドでありうる。
【００９６】
例えば、第２制御部２６０は、入力装置２００がジェスチャーモードで動作する状態で、図４に示すように、入力装置２００のタッチ感知部２１０に対する第１基準値以上のタッチ入力が感知されれば、第２制御部２６０は入力装置２００の入力モードをタッチモードに転換し、図５に示すように、入力装置２００がタッチモードに転換されたことを示すメッセージ３３、３４をディスプレイ部１３０に表示するコマンドを送信するように第２通信部２５０を制御することができる。ここで、表示されるメッセージ３５、３６は、アイコン、テキスト等を含む。
【００９７】
ディスプレイ装置１００の第１制御部１６０は、第１通信部１４０を通じて入力装置２００からコマンドを受信し、入力装置２００から受信されたコマンドに従って、図５に示すように、タッチモードに転換されて選択可能な複数の項目３３、３４を表示するようにディスプレイ部１３０を制御する。また、第１制御部１６０は、図５に示すように、入力装置２００の現在入力モードを示すアイコン、テキスト等のメッセージ３５、３６を表示するようにディスプレイ部１３０を制御する。
【００９８】
図３乃至図５では、現在入力モードを示すメッセージ３１、３２、３５、３６を表示する実施形態を説明しているが、ディスプレイ装置１００は例えば、“タッチモードへの転換”のように入力モードがいずれか一つ（ジェスチャーモード）から他の一つ（タッチモード）に転換されることを示すメッセージを表示することができる。
【００９９】
ユーザは入力装置２００のタッチ感知部２１０に対するタップ、ドラッグ等の操作を通じてディスプレイ部１３０に表示された複数の項目３３、３４の中でいずれか一つ３４を選択することができる。第２制御部２６０は、タッチ感知部２１０の感知結果に従って対応するコマンドをディスプレイ装置１００に送信するように第２通信部２５０を制御する。
【０１００】
第１制御部１６０は、入力装置２００から受信されたコマンドに従ってユーザの選択結果を表示するようにディスプレイ部１３０を制御する。ここで、第１制御部１６０は、図５に示すように、選択された項目３４をフォーカス、ポイント、カーソル、ハイライト、フリッキング処理等によって強調表示するようにディスプレイ部１３０を制御する。
【０１０１】
一方、入力装置２００には、メニューキー、数字キー、方向キー（４方向ボタン）等のボタンがさらに備わった場合、ユーザはタッチ感知部２１０だけでなくボタンを操作して、ディスプレイ部１３０に表示されたＵＩを選択することもできる。
【０１０２】
本発明の実施形態の入力装置２００で第２制御部２６０は第２基準値以上の入力装置２００のモーションが感知されて、入力モードがジェスチャーモードに転換された状態で第１基準値未満のユーザのタッチ入力が感知されればこれを無視する。また、第２制御部２６０は第１基準値以上のユーザのタッチ入力が感知されて入力モードがタッチモードに転換された状態で第２基準値未満の入力装置２００のモーションが感知されればこれを無視する。
【０１０３】
結果的に、本実施形態ではタッチ感知部２１０とモーション感知部２２０の中でいずれか一つで第１又は第２基準値以上の入力が感知された場合、他の一つで感知される第１又は第２基準値未満の入力は無視する。また、タッチ感知部２１０とモーション感知部２２０の中でいずれか一つで第１又は第２基準値以上の入力が感知された場合でも、他の一つで第１又は第２基準値以上の入力が感知されれば、これは有効な入力になって、入力モードが転換される。
【０１０４】
本発明は、このようにタッチ感知部２１０とモーション感知部２２０が全部支援される入力装置２００でいずれか一つの入力モードによって動作するように制限して動作エラーの発生可能性が低い。また、第１基準値以上のタッチ又は第２基準値以上のモーションによって入力モードが互いに転換されるので、ユーザが別途のモード転換のための人為的な操作なしに自然にモードが転換されるようにしてユーザの不便を減らすことができる。
【０１０５】
以下、本発明の第１実施形態によるディスプレイシステム１の制御方法に対して図面を参照して説明する。
【０１０６】
図６及び図７は、本発明の第１実施形態によるディスプレイシステム１の制御方法を示すフローチャートである。
【０１０７】
図６に示すように、入力装置２００はモーション感知部２２０の感知結果に従って動作する入力モードであるジェスチャーモードで動作することができる（Ｓ４０１）。
【０１０８】
入力装置２００は、ジェスチャーモードで動作する状態で、タッチ感知部２１０に対するユーザのタッチ入力を感知する（Ｓ４０３）。ここで、ジェスチャーモードは、後述する図７の段階Ｓ５０７で入力モードが転換されたことであることができる。
【０１０９】
入力装置２００の第２制御部２６０は、段階Ｓ４０３で感知されたタッチ入力が第１基準値以上であるかどうかを判断する（Ｓ４０５）。ここで、第１基準値は、タッチ感知部２１０に対する所定の距離以上のドラッグ、所定の強度以上のタッチ及び所定の回数以上のタッチの中で少なくとも一つに対応する値であることができるし、このような第１基準値は第２保存部２５０にあらかじめ保存される。
【０１１０】
第２制御部２６０は、段階Ｓ４０５の判断結果、タッチ入力が第１基準値以上である場合、入力装置２００の入力モードをタッチモードに転換し、段階Ｓ４０３で感知されたタッチ入力に対応するコマンドをディスプレイ装置１００に送信するように第２通信部２５０を制御する（Ｓ４０７）。
【０１１１】
また、ディスプレイ装置１００の第１制御部１６０は、段階Ｓ４０７で受信されたコマンドによる動作を行い、入力装置１００の入力モードを示すメッセージ３５、３６を表示するようにディスプレイ部１３０を制御する（Ｓ４０９）。ここで、段階Ｓ４０９で表示されるメッセージは入力装置２００の入力モードがタッチモードに転換されたことを示すメッセージを含むことができる。
【０１１２】
一方、第２制御部２６０は、段階Ｓ４０５の判断結果、タッチ入力が第１基準値未満である場合、段階Ｓ４０３で感知されたタッチ入力は無視する。
【０１１３】
図７に示す実施形態は、入力装置２００がタッチモードで動作する状態でジェスチャーモードに転換される点で図６の実施形態と異なる。
【０１１４】
図７に示すように、入力装置２００は、タッチ感知部２１０の感知結果にしたがって動作する入力モードであるタッチモードで動作することができる（Ｓ５０１）。ここで、タッチモードは、図６の段階Ｓ４０７で入力モードが転換されたことであることができる。
【０１１５】
入力装置２００は、タッチモードで動作する状態で、モーション感知部２２０に対する入力装置２００のモーションを感知する（Ｓ５０３）。
【０１１６】
入力装置２００の第２制御部２６０は、段階Ｓ５０３で感知されたモーション入力が第２基準値以上であるか可否を判断する（Ｓ５０５）。ここで、第２基準値は、モーション感知部２２０によって感知される所定の距離以上のモーション、所定の強度以上のモーション及び所定の回数以上のモーションの中で少なくとも一つに対応する値であることができるし、このような第２基準値は第２保存部２５０にあらかじめ保存される。本実施形態では、第２基準値は、図６の段階Ｓ４０５の第１基準値と同一又は異なる値で設定されることができる。
【０１１７】
第２制御部２６０は、段階Ｓ５０５の判断結果、モーション入力が第２基準値以上である場合、入力装置２００の入力モードをジェスチャーモードに転換し、段階Ｓ５０３で感知されたモーション入力に対応するコマンドをディスプレイ装置１００に送信するように第２通信部２５０を制御する（Ｓ５０７）。
【０１１８】
また、ディスプレイ装置１００の第１制御部１６０は、段階Ｓ５０７で受信されたコマンドによる動作を行い、入力装置１００の入力モードを示すメッセージ３１、３２を表示するようにディスプレイ部１３０を制御する（Ｓ５０９）。ここで、段階Ｓ５０９で表示されるメッセージは、入力装置２００の入力モードがジェスチャーモードに転換されることを示すメッセージを含むことができる。
【０１１９】
一方、第２制御部２６０は、段階Ｓ５０５の判断結果、モーション入力が第２基準値未満である場合、段階Ｓ５０３で感知されたモーション入力は無視する。
【０１２０】
このように、本発明の第１実施形態によれば、基準値以上のタッチ又はモーションによって入力モードが互いに転換されるので、操作中であるインタラクション（ｉｎｔｅｒａｃｔｉｏｎ）を断絶させなく、ユーザからの別途のモード転換のための人為的な操作なしに自然にモードが転換されるようにして、ユーザの利便性を向上させることができる。
【０１２１】
図８乃至図１２は、本発明第２実施形態によってディスプレイ装置１００のディスプレイ部１３０に表示される画面を示す図である。
【０１２２】
本発明の第２実施形態による画面は、図３乃至図５に示す第１実施形態による画面と比較すると、入力モードの転換過程を段階的に表示することに特徴がある。したがって、ディスプレイ部１３０に表示されたＵＩ以外の他の構成要素は、第１実施形態の同一図面符号及び同一部材名を使用し、重複説明を避けるためにこの部分に対しては詳しい説明を省略することにする。
【０１２３】
本発明の第２実施形態で第２保存部２５０にはユーザのタッチ入力及び入力装置１００のモーションに対する第３基準値が保存される。ここで、第３基準値は、入力モードの転換に対する段階別に設定された複数の値になる。
【０１２４】
具体的に、第３基準値は、モーション感知部２２０によって感知される所定の強度、所定の回数及び所定の距離以上のモーション、タッチ感知部２１０に対する所定の距離以上のドラッグ、所定の回数以上のタップ又はクリック、所定の強度以上のタッチ等に対応して段階別に設定された複数の値（例えば、１次入力値、２次入力値、３次入力値等）を含む。ここで、強度は、モーションによる入力装置２００の移動距離、移動速度、移動領域の面積の中で少なくとも一つ又はその組合せによって決定される。
【０１２５】
第２制御部２６０は、入力装置２００の入力モードの転換に対するユーザインターフェース（ＵＩ）を表示するコマンドをディスプレイ装置１００に送信するように第２通信部２５０を制御する。
【０１２６】
ここで、第２制御部２６０は、モーション感知部２２０によって感知される入力装置２００のモーションの距離、強度及び回数の中で少なくとも一つに従って入力装置２００の入力モードがジェスチャーモードに転換されることを段階的に表示するＵＩを表示するコマンドを送信するように第２通信部２５０を制御することができる。
【０１２７】
例えば、図８に示すように、ディスプレイ装置１００と入力装置２００が互いに通信する状態で、ユーザはジェスチャーモードで入力装置２００を使用するために入力装置２００を振るモーションを選択することができる。
【０１２８】
モーション感知部２２０は入力装置２００のモーションを感知し、第２制御部２６０は感知されたモーションの距離、強度及び回数の中で少なくとも一つに基づいて入力モードに対するユーザインターフェース（ＵＩ）をディスプレイ装置１００に表示するコマンドを送信するように第２通信部２５０を制御することができる。ここで、表示されるＵＩ６１、６２は、アイコン、テキスト等を含む。第２制御部２６０は、モーション感知部２２０の感知結果を第２保存部２５０に保存されたそれぞれの段階別に設定された値と比較して、その結果に対応するコマンドを第２通信部２４０を通じて送信することができる。
【０１２９】
ディスプレイ装置１００の第１制御部１６０は第１通信部１５０を通じて入力装置２００からコマンドを受信し、入力装置２００から受信されたコマンドに従って、図８乃至図１２に示すように、入力装置２００の入力モードがジェスチャーモードに転換されることを段階的に表示するアイコン、テキスト等のＵＩ６１、６２、６３を表示するようにディスプレイ部１３０を制御する。ユーザは、入力装置２００を振る強度、回数、距離等に対するフィードバックをディスプレイ装置２００を通じて直ちに確認することができる。
【０１３０】
第１制御部１６０は、入力装置２００のモーションの距離、強度及び回数の中で少なくとも一つに対応するようにディスプレイ部１３０に表示されるＵＩ６１、６２の透明度を段階的に調節して表示する。
【０１３１】
例えば、ユーザが入力装置２００を１次入力で弱く振る場合、第２制御部２６０は１次入力値に対応する情報を第２通信部２５０を通じてディスプレイ装置１００に送信し、第１制御部１６０は第１通信部１５０を通じて１次入力の強度情報を受信して、図９に示すように、これに対応する透明度でＵＩ６１、６２を表示するようにディスプレイ部１３０を制御する。
【０１３２】
ユーザは、図９でディスプレイ部１３０に表示されたＵＩ６１、６２の透明度を通じてジェスチャーモードへの転換のためにさらに強いモーションが必要であると確認し、入力装置２００を２次入力でさらに強く振ることができる。第２制御部２６０は２次入力値に対応する情報を第２通信部２５０を通じてディスプレイ装置１００に送信し、第１制御部１６０は第１通信部１５０を通じて２次入力の強度情報を受信して、図１０に示すように、これに対応する透明度でＵＩ６３、６４を表示するようにディスプレイ部１３０を制御する。図１０のＵＩ６３、６４は。図９のＵＩ６１、６２に比べてさらに鮮明になったことを確認することができる。
【０１３３】
続いて、ユーザは、図１０に示すように、ディスプレイ部１３０に表示されたＵＩ６３、６４の透明度を通じてジェスチャーモードへの転換のため、さらに強いモーションが必要であると確認し、入力装置２００を３次入力でさらに強く振ることができる。第２制御部２６０は３次入力値に対応する情報を第２通信部２５０を通じてディスプレイ装置１００に送信し、第１制御部１６０は第１通信部１５０を通じて３次入力の強度情報を受信して、図１１に示すように、これに対応する透明度でＵＩ６４、６５を表示するようにディスプレイ部１３０を制御する。図１１のＵＩ６５、６６は、図９及び図１０のＵＩ６１、６２、６３、６４に比べてさらに鮮明になったことを確認することができる。
【０１３４】
即ち、ディスプレイ部１３０に表示されるＵＩ６１、６２、６３、６４、６５、６６は、入力モードの転換に従って透明度が段階的に調節される。
【０１３５】
ここで、１次入力乃至３次入力は、入力装置２００に対するモーションの強度によって区別される場合に例えて説明したが、モーションの回数に従って入力モードの転換を段階的に表示することができる。例えば、入力装置２００を１回振る場合、図９に示すように、ＵＩ６１、６２が表示され、入力装置２００を２回乃至４回振る場合、図１０に示すように、ＵＩ６３、６４が表示され、入力装置２００を５回以上振る場合、図１１に示すように、ＵＩ６５、６６が表示される実施形態でも具現されることができる。また、入力装置２００のモーションの強度と回数を総合的に判断して、入力モードの転換段階を判断するように具現されることもできる。
【０１３６】
また、１次入力、２次入力及び３次入力は、第２保存部２５０に保存された１次入力値、２次入力値及び３次入力値に各々対応することができる。
【０１３７】
本実施形態のディスプレイ装置１００は、ジェスチャーモードへの入力モードの転換が完了されれば、図１１に示すように、ディスプレイ部１３０のＵＩ６５、６６を不透明に表示することができる。
【０１３８】
即ち、第２制御部２６０はジェスチャーモードへの入力モードの転換が完了されれば、ディスプレイ装置１００に入力モードに対するＵＩを不透明に表示するコマンドを送信するように第２通信部２５０を制御し、第１制御部１６０は入力装置２００から受信されたコマンドに従ってＵＩ６５、６６を不透明に表示して入力モードの転換が完了されたことをユーザにフィードバックすることができる。
【０１３９】
ここで、図９乃至図１１に示すように、ＵＩ６１、６２、６３、６４、６５、６６は入力装置２００の入力モードを示すアイコン６１、６３、６５と、ジェスチャーモードで入力装置２００のモーション入力のためのガイド６２、６４、６６と、を含む。
【０１４０】
即ち、ユーザは、ディスプレイ装置１００に表示されたアイコン６１、６３、６５を通じてジェスチャーモードへの入力モード転換が行われていることを確認できるし、ガイド６２、６４、６６を通じて入力装置２００を左右で回転して、以前／次の映像を選択することができるし、上下で回転して画面に対するズーム（ｚｏｏｍ）を行うことができることが案内されることができる。
【０１４１】
また、本発明の実施形態の入力モードに対するＵＩは、入力モードの転換の完了のため必要なモーションの強度又は回数に対する情報をさらに含むことができる。例えば、ディスプレイ部１３０に表示されたガイド６２、６４、６６は、ジェスチャーモードへの転換が完了するために必要な入力装置２００のモーションの強度や回数をテキスト等で提供することができる。
【０１４２】
図９乃至図１１に示すように、実施形態の入力モードに対するＵＩ６１、６２、６３、６４、６５、６６は、入力モードの転換過程を透明度で表示する場合を例えて説明したが、本発明のＵＩはこれに限定されない。例えば、図１２に示すように、入力モードに対するＵＩ６７、６８は、入力モードの転換を段階的に表示するゲージ（ｇａｕｇｅ）を含むことができる。
【０１４３】
第１制御部１６０は、入力装置２００から受信される入力モードに対する情報を含むコマンドに基づいて、入力モードの転換状態に対応するだけ、図１２のゲージの状態バー（ｂａｒ）を右側に移動させて表示するようにディスプレイ部１３０を制御する。ユーザは、ゲージの状態バーの位置に従って入力モードの転換程度を判断し、入力装置２００をさらに強く振る等の方式で入力モードの転換を完了することができる。
【０１４４】
一方、本実施形態の入力モードに対するＵＩ６１、６２、６３、６４、６５、６６は、入力モードがタッチモードで転換されることを段階的に表示することもできる。ユーザは、ディスプレイ装置１００に表示される入力モードに対するＵＩを確認してタッチモードへの入力モードの転換程度を判断し、タッチ感知部２１０をさらに強くタッチする等の方式で入力モードの転換を完了することができる。
【０１４５】
以下、本発明の第２実施形態によるディスプレイシステム１の制御方法に対して図面を参照して説明する。
【０１４６】
図１３は本発明の第２実施形態によるディスプレイシステム１の制御方法を示すフローチャートである。
【０１４７】
図１３に示すように、入力装置２００は、タッチ感知部２１０の感知結果に従って動作する入力モードであるタッチモードで動作することができる（Ｓ７０１）。
【０１４８】
入力装置２００は、タッチモードで動作する状態で、モーション感知部２２０に対する入力装置２００のモーションを感知する（Ｓ７０３）。
【０１４９】
入力装置２００の第２制御部２６０は、段階Ｓ７０３で感知された入力装置のモーションの距離、強度及び回数の中で少なくとも一つに基づいて、これに対応するコマンドをディスプレイ装置１００に送信する（Ｓ７０５）。
【０１５０】
ディスプレイ装置１００の第１制御部１６０は、段階Ｓ７０５のコマンドを受信し、受信されたコマンドに従って入力装置２００の入力モードに対するユーザインターフェース６１、６２、６３、６４、６５、６６、６７、６８を表示するようにディスプレイ部１３０を制御する（Ｓ７０７）。ここで、段階Ｓ７０７で表示されるＵＩ６１、６２、６３、６４、６５、６６、６７、６８は、入力装置２００の入力モードがジェスチャーモードに転換されることを透明度、ゲージ等によって、段階的に表示することができるし、入力モードの転換が完了されると、ＵＩ６５、６６を不透明に表示することができる。また、入力モードに対するＵＩは、入力モードの転換の完了のため必要なモーションの強度又は回数に対する情報をさらに含むことができる。
【０１５１】
図１３に示す実施形態では、入力装置２００がタッチモードからジェスチャーモードに転換される場合を例えて説明したが、本発明は、その反対、即ちジェスチャーモードからタッチモードに転換される場合も含み、ボタンを使用する一般モードからジェスチャーモード又はタッチモードに転換される場合にも適用できるように具現されることもできる。
【０１５２】
このように、本発明の第２実施形態によれば、入力装置２００で入力モードの転換情報を段階的に提供するユーザインターフェースを表示し、ユーザに入力モードの転換に対してリアルタイムで適切な視覚的なフィードバックを提供して、ユーザの混乱を減らし利便性を向上させることができる。
【０１５３】
以上、望ましい実施形態を通じて本発明に対して詳細に説明したが、本発明は、これに限られず、特許請求範囲内で多様に実施されることができる。
【符号の説明】
【０１５４】
１００  ディスプレイ装置
１１０  映像受信部
１２０  映像処理部
１３０  ディスプレイ部
１４０  第１通信部
１５０  第１保存部
１６０  第１制御部
２００  入力装置
２１０  タッチ感知部
２２０  モーション感知部
２４０  第２通信部
２５０  第２保存部
２６０  第２制御部
【図１】
2013143139.tif 000003
【図２】
2013143139.tif 000004
【図３】
2013143139.tif 000005
【図４】
2013143139.tif 000006
【図５】
2013143139.tif 000007
【図６】
2013143139.tif 000008
【図７】
2013143139.tif 000009
【図８】
2013143139.tif 000010
【図９】
2013143139.tif 000011
【図１０】
2013143139.tif 000012
【図１１】
2013143139.tif 000013
【図１２】
2013143139.tif 000014
【図１３】
2013143139.tif 000015